(57)【特許請求の範囲】
【請求項１】
非撮影状態にて退避する退避レンズ枠を備えるズームレンズ鏡筒において、
固定枠と、
ズーミングのためのズーム駆動源と、
上記ズーム駆動源によって、上記固定枠に対して相対的に少なくとも回転駆動され、カム溝部を備えた第一の枠と、
上記第一の枠により進退駆動され、カム部を備えた第二の枠と、
上記第一の枠により進退駆動される第三の枠と、
上記第三の枠に回動可能に支持される枠であって、退避レンズを保持しており、撮影状態にあるとき、上記退避レンズが光路上に位置する進入位置にあり、上記撮影状態から上記非撮影状態への切り換え動作期間にて上記第一の枠の上記カム溝部、および、上記第二の枠に設けた上記カム部により回動駆動され、上記退避レンズが光路外に退避した退避位置に退避駆動される上記退避レンズ枠と、
を具備し、
上記退避レンズ枠は、上記撮影状態から上記非撮影状態への上記切り換え動作期間の前半にて上記第一の枠のカム溝部により上記退避位置方向に向けて回動駆動され、後半にて上記第二の枠に設けた上記カム部により上記退避位置に位置するように回動駆動されることを特徴とするズームレンズ鏡筒。
【発明の詳細な説明】
【技術分野】
【０００１】
本発明は、退避レンズ枠を備え、非撮影状態のときの全長が撮影状態のときよりも短縮されるズームレンズ鏡筒に関する。
【背景技術】
【０００２】
従来のズームレンズ鏡筒として、特許文献１に開示されたものは、非撮影状態である沈胴状態のときの全長が撮影状態のときよりも短縮されるズームレンズ鏡筒である。このレンズ鏡筒Ａ１は、図１７，１８に示すように各鏡枠部材を支持する固定枠Ａ２と、回転枠Ａ３と、ズーム駆動源と、フォーカス駆動源と、退避レンズＡ２３を保持し、後方側に突出する突部Ａ１０ｈを有しており、上記ズーム駆動源で駆動され、撮影状態時には退避レンズＡ２３を光路上に位置させ、撮影状態から沈胴状態への移行に連動して光路外に突部１０ｈと共に回動退避する退避レンズ枠Ａ１０と、フォーカスレンズを保持し、上記フォーカス駆動源により進退駆動されるフォーカスレンズ枠Ａ１３とを備えている。
【０００３】
そして、上記フォーカスレンズ枠Ａ１３は、撮影状態から短縮する沈胴方向への駆動状態時には退避レンズ枠Ａ１０と当接せず、上記短縮する沈胴方向への駆動状態時に生ずる異常駆動の際には退避レンズ枠Ａ１０の突部Ａ１０ｈに当接し、該突部と当接中には該突部の回動軌跡に沿って該突部をガイドすることにより、退避レンズ枠Ａ１０と後方側のレンズ枠Ａ１３との干渉を防止するためのガイド軌跡部Ａ１３ｃが設けられている。
【０００４】
なお、上記従来のズームレンズ鏡筒Ａ１において、退避レンズ枠Ａ１０を光路外に退避させるためのカム部材として退避カムＡ１４が固定枠Ａ２の背面側に固着されている。詳しくは、該退避カムＡ１４は、固定枠Ａ２の背面側の保持プレートＡ１５上に撮影レンズ光軸Ｏ方向前方側に突出して固着されている。保持プレートＡ１５の背面には撮像素子ユニットが装着されるセンサ基台Ａ１６が装着されている。撮影状態から沈胴状態への移行する際、退避カムＡ１４が退避レンズ枠Ａ１０に対して相対的に接近したとき、退避レンズ枠Ａ１０に設けられる従動ピンＡ１０ｃに当接し、摺接することにより、退避レンズ枠Ａ１０が光路外の退避位置に回動駆動される（図１７）。
【先行技術文献】
【特許文献】
【０００５】
【特許文献１】特開２００９−２５５５７号公報
【発明の開示】
【発明が解決しようとする課題】
【０００６】
上述した特許文献１に開示されたズームレンズ鏡筒Ａ１においては、退避レンズ枠Ａ１０を退避させるための退避カムＡ１４が固定枠Ａ２の背面側の保持プレートＡ１５上に固着されている。保持プレートＡ１５は、センサ基台Ａ１６に結合されており、該センサ基台Ａ１６上には、撮像素子、光学フィルタ等からなる撮像ユニットＡ２６が配置されている。保持プレートＡ１５に退避カムＡ１４を配置するとなると撮像ユニットＡ２６の配置の自由度がなくなり、設計上の制約を受ける。特に撮像ユニットがブレ補正機能を有する場合、スペース上にさらに大きな制約となり、小型化の支障になる。
【０００７】
また、退避カムＡ１４が固定枠Ａ２の背面側の保持プレートＡ１５上に配置されているために、保持プレートＡ１５,センサ基台Ａ１６を組み付ける前の部分組み立て状態のレンズ鏡筒にて退避レンズ枠Ａ１０,退避カムＡ１４を含む各鏡枠の進退状態を確認することができないといった問題もある。
【０００８】
また、退避カムＡ１４は、退避レンズ枠Ａ１０の後方側に配されるフォーカスレンズ枠Ａ１３の側方を挿通する必要があり、そのためにフォーカスレンズ枠Ａ１３の形状、配置が制約を受ける。
【０００９】
さらに、退避レンズ枠Ａ１０の光路上の位置から光路外の退避位置までの回動角度は、大きく、その回動角度を確保するために退避カムＡ１４に当接する退避レンズ枠Ａ１０の従動ピンＡ１０ｃの位置をより回動軸心に近い位置に配置する必要がある。このような配置を適用した場合、退避レンズ枠Ａ１０を精度よく退避位置まで回動させることが難しく、該退避位置にある程度のばらつきを考慮し、余裕を大きくとる必要が生じる。この点からもレンズ鏡筒の十分な小型化が困難になる。
【００１０】
本発明は、上述の問題を解決するためになされたものであり、非撮影状態にて退避する退避レンズ枠を備えるズームレンズ鏡筒において、退避レンズ枠の退避機構が鏡枠進退駆動用のカム溝の配置や撮像ユニットの配置に制約を与えることなく、小型化も可能であるズームレンズ鏡筒を提供することを目的とする。
【課題を解決するための手段】
【００１１】
上記課題を解決するために本発明のズームレンズ鏡筒は、非撮影状態にて退避する退避レンズ枠を備えるズームレンズ鏡筒において、固定枠と、ズーミングのためのズーム駆動源と、上記ズーム駆動源によって、上記固定枠に対して相対的に少なくとも回転駆動され、カム溝部を備えた第一の枠と、上記第一の枠により進退駆動され、カム部を備えた第二の枠と、上記第一の枠により進退駆動される第三の枠と、上記第三の枠に回動可能に支持される枠であって、退避レンズを保持しており、撮影状態にあるとき、上記退避レンズが光路上に位置する進入位置にあり、上記撮影状態から上記非撮影状態への切り換え動作期間にて上記第一の枠の上記カム溝部、および、上記第二の枠に設けた上記カム部により回動駆動され、上記退避レンズが光路外に退避した退避位置に退避駆動される上記退避レンズ枠と、を具備し、上記退避レンズ枠は、上記撮影状態から上記非撮影状態への上記切り換え動作期間の前半にて上記第一の枠のカム溝部により上記退避位置方向に向けて回動駆動され、後半にて上記第二の枠に設けた上記カム部により上記退避位置に位置するように回動駆動されることを特徴とする。
【発明の効果】
【００１２】
本発明によると、非撮影状態にて退避する退避レンズ枠を備えたズームレンズ鏡筒において、退避レンズ枠の退避機構が鏡枠進退駆動用のカム溝の配置や撮像ユニットの配置に制約を与えることなく、小型化も可能であるズームレンズ鏡筒を提供することができる。
【図面の簡単な説明】
【００１３】
【図１】本発明の一実施形態のズームレンズ鏡筒の非撮影状態である沈胴状態における正面図
【図２】図１のＡ−Ａ断面図である。
【図３】図１のズームレンズ鏡筒の撮影状態であるズームワイド状態における縦断面図
【図４】図１のズームレンズ鏡筒の沈胴状態にて三群ズーム枠、四群フォーカス枠および背面側の撮像ユニットを取り外した状態での背面図
【図５】図１のズームレンズ鏡筒の沈胴状態にて三群ズーム枠、四群フォーカス枠および背面側の撮像ユニットを取り外した状態を背面側からみた斜視図
【図６】図１のズームレンズ鏡筒のズームワイド状態にて四群フォーカス枠および背面側の撮像ユニットを取り外した状態での背面図
【図７】図１のズームレンズ鏡筒のズームワイド状態にて四群フォーカス枠および背面側の撮像ユニットを取り外した状態を背面側からみた斜視図
【図８】図１のズームレンズ鏡筒に適用されるカム枠を背面側からみた斜視図
【図９】図９のカム枠の内周面のカム溝展開図
【図１０】図１のズームレンズ鏡筒に適用される二群ズーム枠の背面図
【図１１】図１０のＢ−Ｂ断面図である。
【図１２】図１のズームレンズ鏡筒に適用される退避レンズ枠を保持する三群ズーム枠のズームワイド状態での背面図
【図１３】図１２の三群ズーム枠を背面側からみた斜視図
【図１４】図１２に示す退避レンズ枠の背面図
【図１５】図３のレンズ鏡筒においてズームワイド状態から沈胴状態まで切り換え駆動されたとき、図９のカム枠の内周面のカム溝に対して二群ズーム枠、三群ズーム枠のカムフォロアおよび退避レンズ枠の従動ピンが相対的に摺動移動する状態を示す拡大展開図
【図１６】図１０の二群ズーム枠の突起カムに対して図１２の退避レンズ枠の当接従動部が相対移動する状態を図１５に対応して示した断面図
【図１７】従来のズームレンズ鏡筒の沈胴状態における縦断面図
【図１８】図１７の従来のズームレンズ鏡筒のズームワイド状態における縦断面図
【発明を実施するための最良の形態】
【００１４】
以下、本発明の実施形態について説明する。  
本発明の一実施形態としてのズームレンズ鏡筒１について、図１〜１４を用いて説明する。
【００１５】
ズームレンズ鏡筒１は、各鏡枠が固定枠内に収納され、非撮影状態である短縮した沈胴状態から上記各鏡枠が繰り出され、撮影状態（厳密には、撮影可能な状態）に切り換えられ、該撮影状態では、ズームワイド（以下、ワイド状態と記す）からズームテレ状態（以下、テレ状態と記す）にズーミング可能なレンズ鏡筒あって、さらにカメラブレ補正機能付きとする。
【００１６】
なお、以下の説明において、撮影レンズの光軸をＯとし、該光軸Ｏ方向で被写体側を前方、結像側を後方（背面側）とする。また、各部材の回転方向は、背面側から見た回転方向で示す。また、光軸Ｏに対して直交する方向のうち、通常のカメラの撮影姿勢にて左右方向をＸ方向、上下方向をＹ方向とする。
【００１７】
ズームレンズ鏡筒１は、図１〜３に示すように固定枠２と、固定枠２に支持され、ズーミング時や沈胴駆動時に回転進退駆動される回転枠３と、回転規制状態で回転枠３とともに進退する移動枠４と、回転枠３と共に回転し、また、進退移動する第一の枠であるカム枠５と、回転規制状態でカム枠５とともに進退する直進ガイド枠６と、固定枠２の背面部にセンサユニット１５を支持し、ＸＹ方向に変位可能なセンサユニット支持板１６を具備しており、さらに、回転規制状態のもとで進退駆動される鏡枠として前方側から順に一群ズーム枠７、第二の枠である二群ズーム枠８、退避レンズ枠１２を支持する第三の枠である三群ズーム枠９、四群フォーカス枠１３を備え、撮影光学系として一群ズーム枠７に保持される一群レンズ３１、二群ズーム枠８に保持される二群レンズ３２、退避レンズ枠１２に保持される三群レンズである退避レンズ３３と、四群フォーカス枠１３に保持されるフォーカシングレンズである四群レンズ３４とを備えている。
【００１８】
固定枠２は、円筒内周部を有する部材であり、内周部に光軸Ｏに対して傾斜したヘリコイド部と円周に沿った前方円周溝部とが連接されて形成される溝部と、光軸Ｏに沿った直進溝とが設けられている。また、外周部に撮影レンズのズーミング駆動を行うためのユニットであって、ユニット収納部４１に収納されるズーム駆動源としてのズームモータ、ギヤ列、ロングギヤ（図示せず）を含むズーミングユニットと、撮影レンズのフォーカシング駆動を行うためのユニットであってフォーカスモータ４２、ギヤ列、送りねじ、ガイド軸を含むフォーカシングユニットとが配されている。なお、ロングギヤ（図示せず）は、光軸Ｏと平行な方向に沿って固定枠２の内周部に露呈した状態で支持されている。
【００１９】
回転枠３は、円筒状の部材であり、固定枠２の内周部に回動進退可能に嵌入し、外周後方部にカムフォロアと、上記ロングギヤと噛合するギヤ部３ａとが配されている。この回転枠３は、上記カムフォロアが固定枠２の上記ヘリコイド部に係合した状態で装着され、上記ロングギヤによりギヤ部３ａを介して回転駆動される。その回転により回転しながら沈胴位置から撮影可能なワイド位置まで繰り出され、該繰り出し状態で上記カムフォロアが上記円周溝に摺動可能に係合し、その後、テレ位置まで光軸Ｏ方向に回転駆動される。
【００２０】
移動枠４は、円筒部材であり、回転枠３の内周部に相対回転可能に嵌入しており、ガイド凸部４ａを固定枠２の直進溝２ｃに摺動可能に嵌入させて回転規制された状態とし（図４，６）、回転枠３に対してバヨネット結合し、相対回転可能で光軸Ｏ方向に一体的に進退する状態で支持される。
【００２１】
直進ガイド枠６は、円筒部材であり、移動枠４の内周に嵌入しており、後端部がカム枠５にバヨネット結合され、移動枠４によって回転規制された状態でカム枠５とともに進退移動する。
【００２２】
カム枠５は、円筒状の部材であり、一群ズーム枠７の内周部に摺動可能に嵌入し、後端部が移動枠４の内周部に嵌入する。図８に示すようにカム枠５の外周後方部のピン孔５ｅにカムフォロア２３が外方に突出する状態で固着されている。
【００２３】
カムフォロア２３は、図８に示すように円錐面部２３ａと先端ピン部２３ｂとを備えており、円錐面部２３ａは、移動枠４に設けられるカム溝に嵌入し、先端ピン部２３ｂは、該カム溝を外周側に貫通して回転枠３に設けられる直進溝に嵌入する。従って、カム枠５は、回転枠３と一体で回転しながら、光軸Ｏ方向に移動枠４のカム溝により進退駆動される。
【００２４】
カム枠５の外周部には一群ズーム枠駆動用カム溝５ａが配され（図８）、内周部には二群ズーム枠用駆動カム溝５ｂと、三群ズーム枠駆動用カム溝５ｃと、カム溝部である退避レンズ枠駆動用カム溝５ｄとが設けられている（図９）。なお、カム溝５ｄは、背面側が開口状態になっており、該開口側に光軸Ｏ方向に沿って形成される直進カム溝部５ｄａと、光軸Ｏに対して傾斜する傾斜カム溝部５ｄｂと、回転方向に沿った逃げ用カム溝部５ｄｃと、さらに、カム溝５ｄの後方開口部に設けられ、直進カム溝部５ｄａから後方に突出する突起部５ｄｄとからなる。上記カム溝部は、該カム溝に係合するべき後述する退避レンズ枠１２の従動ピン１２ｂに対して隙間のある状態のカム溝である（図９，１５）。
【００２５】
一群ズーム枠７は、円筒状部材であり、直進ガイド枠６の内周部に回転規制された状態で嵌入し、かつ、カム枠５の外周部に嵌入して支持される。一群ズーム枠７の前面開口部には一群レンズ３１が保持され、該一群レンズ３１の前面を開閉可能なレンズバリア３５が配されている。一群ズーム枠７の内周部に突出して設けられるカムフォロアは、カム枠５のカム溝５ａに摺動可能に嵌入する。従って、一群ズーム枠７は、カム枠５の回転にともなって直進ガイド枠６により回転規制された状態で進退駆動される。
【００２６】
二群ズーム枠８は、図１０，１１に示すように円筒状部材であり、カム枠５の内周に摺動可能に嵌入して支持され、中央開口部に二群レンズ３２が保持される。二群ズーム枠８の外周部に配されるガイド溝８ｂに三群ズーム枠９のガイド凸部９ｆが摺動可能に嵌入し、さらに、二群ズーム枠８の外周部に配されるカムフォロア８ｃはカム枠５のカム溝５ｂに摺動可能に嵌入している（図９）。従って、二群ズーム枠８は、直進ガイドされる三群ズーム枠９を介して回転規制された状態でカム枠５の回転にともなって進退駆動される。
【００２７】
二群ズーム枠８には後方に光軸Ｏ方向に沿って直立する突起状カム部である退避カム８ｄと、回動軸の先端に対向する回動軸逃げ部８ｇが設けられている。退避カム８ｄの配設位置は、図１０，１１に示すように回動軸逃げ部８ｇを中心にした二群レンズ３２中心（光軸Ｏと一致）から反時計回り側に所定角度傾斜した方向に位置している。上記所定角度は、退避レンズ枠１２の必要回動角度が得られる角度である。この退避カム８ｄには突状先端部分に傾斜カム面８ｄａと、光軸Ｏ方向と平行な平行摺動面８ｄｂとが設けられている。
【００２８】
三群ズーム枠９は、図１２，１３に示すように円筒状部材であり、前面側に遮光羽根状部品が装着され、円筒内部に退避レンズ枠１２が回動可能に支持されている。また、退避レンズ枠１２の後方にバネ付勢され、光軸Ｏ方向に相対的に進退移動可能なシャッタユニット１１が配置されている（図２，３）。
【００２９】
三群ズーム枠９にはその円筒部外周にカムフォロア９ｂと、内周部にガイド凸部９ｆと、後方円板状部外周にガイド凸部９ａが配されている。さらに、円筒内部に回動軸２５の両端を支持する軸支持孔９ｄが配されている。また、円筒前端面部に二群ズーム枠８のレンズ保持部が挿通可能な中央開口部９ｇと、後方側に直立する退避レンズ枠用ストッパ９ｃと、退避カム挿通孔９ｅとが設けられている。退避レンズ枠１２は、軸支持孔９ｄに嵌入する回動軸２５に回動可能に支持される。
【００３０】
三群ズーム枠９のガイド凸部９ａは、移動枠４の直進溝４ｂに摺動可能に嵌入し（図４，６）、カムフォロア９ｂは、カム枠５のカム溝５ｃに摺動可能に嵌入する（図９）。従って、三群ズーム枠９は、移動枠４により回転規制される状態でカム枠５の回転にともなって進退駆動される。
【００３１】
退避レンズ枠１２は、図１４に示すようにレバー形状の部材であり、一端部に回動軸２５が回動可能に嵌入する軸孔１２ａおよび該軸孔近傍に突出して配される従動ピン１２ｂと、他端部にストッパ当接部１２ｃおよび従動当接面部１２ｄが設けられ、また、軸孔１２ａから所定距離だけ離間した開口部に光軸Ｏ1をもつ退避レンズ３３が保持されている。この退避レンズ枠１２は、付勢部材であるトーションバネ２６により図１２上、時計回りに付勢されている。
【００３２】
ズームレンズ鏡筒１が撮影状態にあって、退避レンズ枠１２に対して外力が作用していない状態では、退避レンズ枠１２は回動軸２５中心に時計回りに回動して、ストッパ当接部１２ｃが三群ズーム枠９のストッパ９ｃに当接しており、退避レンズ３３が撮影光路内にある。すなわち、退避レンズ枠１２は、退避レンズ３３の光軸Ｏ1が撮影レンズ光軸Ｏと一致する進入位置Ｐ1に位置する（図６）。
【００３３】
ズームレンズ鏡筒１の撮影状態から沈胴状態への切り換え時、退避レンズ枠１２は、カム枠５の回転にともなって、まず、カム溝５ｄにより従動ピン１２ｂが押圧され、退避方向に所定角度回動する。その後、退避レンズ枠１２は、三群ズーム枠９と二群ズーム枠８とが光軸Ｏ方向に相対的に接近することで二群ズーム枠８の退避カム８ｄにより従動当接面部１２ｄを押圧され、退避レンズ３３が撮影光路から退避した退避位置Ｐ2まで回動駆動される（図４）。沈胴状態から撮影状態への切り換え時には、上述の動作とは逆方向の動作が実行され、退避レンズ枠１２は、退避位置Ｐ2から進入位置Ｐ1へ回動駆動される。なお、上述した退避レンズ枠１２の進入位置Ｐ1から退避位置Ｐ2への回動動作については、後で詳しく説明する。
【００３４】
四群フォーカス枠１３は、ガイド軸を介して光軸Ｏ方向に進退移動可能に支持されており、フォーカシング操作時、上記フォーカシングユニットによってフォーカシング位置に進退駆動される。
【００３５】
センサユニット支持板１６は、センサユニット１５が組み付けられた状態で回転枠３等の各鏡枠部材が組み付けられた後、固定枠２の背面部にＸＹ方向に変位可能な状態で装着される。
【００３６】
センサユニット１５は、光学フィルタ１８および撮像素子１９を備えており、ブレ補正処理時、手振れ検出信号に基づいて撮像素子１９より出力される撮像信号のブレ成分を補正するべく、ＸＹ駆動ユニット２１によってセンサユニット支持板１６と一体の状態でＸＹ方向に変位駆動される。
【００３７】
上述した構成を有するズームレンズ鏡筒１における各鏡枠部材の進退動作について、図９等を用いて説明する。なお、以下の説明は、最初にズームレンズ鏡筒１が撮影状態のテレ状態にあるとし、その後、撮影状態のワイド状態（図６）を経て、非撮影状態である沈胴状態（図４）までの繰り込み動作を説明するが、沈胴状態から撮影状態への繰り出し時には、上記繰り込み動作の逆の動作が実行される。
【００３８】
ズームレンズ鏡筒１がテレ状態にあるとき、カム枠５のカム溝５ａ，５ｂ，５ｃに対して一群ズーム枠７のカムフォロア（図示せず）がテレ対応位置に、二群ズーム枠８，三群ズーム枠９のカムフォロア８ｃ、９ｂもそれぞれテレ対応位置８ｃＴ，９ｂＴに位置し（図９）、それぞれの枠がテレ位置に繰り出されている。三群ズーム枠９に支持されている退避レンズ枠１２は、従動ピン１２ｂが非係合状態にあるのでトーションバネ２６の付勢力によりストッパ９ｃに当接し、退避レンズ３３が撮影光路内にある進入位置Ｐ1に位置している（図６）。
【００３９】
上記テレ状態からワイド状態に切り換えられるときは、ズームモータ４１により回転枠３と共にカム枠５が反時計回りに回転駆動され、カム枠５のカム溝５ａ，５ｂ，５ｃに対して、一群ズーム枠７のカムフォロア（図示せず）がワイド対応位置に移動し、また、二群ズーム枠８，三群ズーム枠９のカムフォロア８ｃ，９ｂもワイド対応位置８ｃＷ、９ｂＷにそれぞれ移動し（図９）、それぞれの枠がワイド位置に移動する。退避レンズ枠１２は、そのまま進入位置Ｐ1に保たれる（図６）。
【００４０】
続いて、ワイド状態から沈胴状態に繰り込まれるとき、回転枠３と共にカム枠５も反時計回りに回転駆動され、回転枠３は沈胴位置に繰り込まれる。カム枠５のカム溝５ａ，５ｂ，５ｃに対して、一群ズーム枠７のカムフォロア（図示せず）が沈胴対応位置に移動し、また、二群ズーム枠８，三群ズーム枠９のカムフォロア８ｃ，９ｂもワイド対応位置８ｃＣ、９ｂＣにそれぞれ移動し（図９）、それぞれの枠が沈胴位置に繰り込まれる（図２）。上記ワイド状態から沈胴状態への切り換え動作期間中、退避レンズ枠１２は、カム枠５のカム溝５ｄにより回動駆動され、続いて、二群ズーム枠８の突起状の退避カム８ｄにより回動駆動され、前述したように進入位置Ｐ1から退避位置Ｐ2に移動する（図６）。
【００４１】
ズームレンズ鏡筒１の沈胴状態では図２に示すように固定枠２内部に回転枠３、移動枠４、直進ガイド枠６、カム枠５が重なり合った状態で収納され、さらに、一群ズーム枠７、二群ズーム枠８、三群ズーム枠９および四群フォーカス枠１３が光軸Ｏ方向の隙間の極めて少ない状態で収納される。一方、退避レンズ枠１２は、退避レンズ３３が撮影光路から退避した退避位置Ｐ2に回動しており、三群レンズ３３と四群レンズ３４とを可能な限り接近させることによって、ズームレンズ鏡筒１の沈胴状態における光軸Ｏ方向の全長のさらなる短縮化を可能にしている。
【００４２】
ここで、三群ズーム枠９の退避レンズ枠１２の退避動作について、図１５，１６等を用いて詳しく説明する。
【００４３】
ズームレンズ鏡筒１がワイド状態から沈胴状態に切り換え動作の初期において、カム枠５の反時計回りの回転によりカム枠５と三群ズーム枠９が相対的に接近すると、ワイド対応位置１２ｂＷ（図１５）にあった退避レンズ枠１２の従動ピン１２ｂがカム枠５のカム溝開口部に設けられた突起部５ｄｄに当接後、カム溝５ｄ内に進入して直進カム溝部５ｄａに係合する。
【００４４】
さらにカム枠５が回転すると、従動ピン１２ｂは、直進カム溝部５ｄａに押圧されながら該カム溝部壁面に沿って相対移動位置１２ｂ１，１２ｂ２，１２ｂ３に移動する（図１５）。その従動ピン１２ｂの押圧移動によって退避レンズ枠１２は、トーションバネ２６の付勢力Ｆ0（図１６）に抗して反時計回り（図６上）に回動し、ストッパ当接部１２ｃがストッパ９ｃから離れ、進入位置Ｐ1（図６）から退避位置Ｐ2への移動を開始する。従動当接面部１２ｄもワイド対応位置１２ｄＷ（図１６）から反時計回りに移動する。
【００４５】
引き続き、カム枠５が回転すると、従動ピン１２ｂは、傾斜カム溝部５ｄｂに係合する状態となり、該カム部の壁面で押圧されながら相対移動位置１２ｂ４に移動し（図１５）、退避レンズ枠１２の反時計回りの回動が続行される。
【００４６】
カム枠５の上記回転動作中、二群ズーム枠８のカムフォロア８ｃと三群ズーム枠９のカムフォロア９ｂは、それぞれカム枠５のカム溝５ｂ，５ｃ上の移動位置８ｃ３，９ｂ３と移動位置８ｃ６，９ｂ６との間にあり（図１５）、二群ズーム枠８と三群ズーム枠９とは互いに接近している。従って、二群ズーム枠８の退避カム８ｄが三群ズーム枠９の退避カム挿通孔９ｅを挿通して三群ズーム枠９の内部に進入する。そこで、時計回り回動中の退避レンズ枠１２の従動当接面部１２ｄが退避カム８ｄに接近し、退避カム８ｄの傾斜カム面８ｄａに当接する。これ以降、退避レンズ枠１２は、以前のカム枠５のカム溝５ｄによる従動ピン１２ｂを介した回動駆動状態から退避カム８ｄによる従動当接面部１２ｄを介した回動駆動状態に移行する。
【００４７】
さらにカム枠５の回転が進むと、二群ズーム枠８と三群ズーム枠９とが相対的にさらに接近し、従動当接面部１２ｄが傾斜カム面８ｄａで押圧されて相対移動位置１２ｄ５に達し（図１６）、退避レンズ枠１２は、さらなる反時計回りの回動を続行する。従動ピン１２ｂは、上記押圧動作によって傾斜カム溝部５ｄｂの壁面から離れた相対移動位置１２ｂ５に移動する（図１５）。
【００４８】
またさらに二群ズーム枠８と三群ズーム枠９とが相対的に接近すると、従動当接面部１２ｄは、退避カム８ｄの平行摺動面８ｄｂ上の相対移動位置１２ｄ６，１２ｄ７に移り（図１６）、退避レンズ枠１２は退避位置Ｐ2に到達してその位置に保持される（図４）。そのとき、回転枠３等の他の鏡枠も沈胴位置に繰り込まれており、ズームレンズ鏡筒１の沈胴動作が終了する。なお、従動ピン１２ｂ自体は、逃げ用カム溝部５ｄｃ中の相対移動位置１２ｂ６，１２ｂ７，ワイド対応位置１２ｂＣにあって、非係合状態に保たれる（図１５）。
【００４９】
ズームレンズ鏡筒１の沈胴状態からワイド状態への切り換え動作における退避レンズ枠１２の回動動作は、上述した動作の逆方向の動作が行われ、退避位置Ｐ2（図４）から進入位置Ｐ1（図６）に回動駆動される。
【００５０】
上述したズームレンズ鏡筒１においては、三群ズーム枠９内に回動可能に支持される退避レンズ枠１２の進入位置Ｐ1から退避位置Ｐ2への退避駆動の前半をカム枠５のカム溝５ｄによる駆動と、後半を二群枠８に設けた退避カム８ｄによる駆動との二つ動作で行なうことで十分な回動角度を得ることができ、より望ましい退避位置に退避レンズ枠１２を位置させることが可能になる。そして、上記後半を回動軸２５から離れた退避カム８ｄより駆動することから退避位置Ｐ2の位置精度を上げことができ、退避した退避レンズ枠１２まわりの隙間を多く採る必要がなくなり、各鏡枠の外形寸法をより小さくすることができる。
【００５１】
また、上述のように退避駆動を２動作で行なうことでカム枠５の内周部に設けるカム溝５ｄを他のカム溝５ｂ，５ｃの領域を侵すことなく配置することができ、かつ、カム溝５ｄによる退避レンズ枠１２の従動ピン１２の駆動も無理なく行うことができる。
【００５２】
さらに、従来のレンズ鏡筒Ａ１のように退避カムＡ１４を固定枠Ａ２の背面側プレートに設けず、二群枠８に退避カム８ｄを配置することにより各鏡枠の部分組み立て状態で退避レンズ枠１２の退避動作を確認することが可能になり、組み立て検査等が容易になる。そして、本実施形態のようにブレ補正機能付きのレンズ鏡筒である場合、ブレ補正用撮像素子ユニットの配置に対して退避カムによる制約がない。
【００５３】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００５４】
本発明によるズームレンズ鏡筒は、非撮影状態にて退避する退避レンズ枠を備えたズームレンズ鏡筒において、退避レンズ枠の退避機構が鏡枠進退駆動用のカム溝の配置や撮像ユニットの配置に制約を与えることなく、小型化も可能であるズームレンズ鏡筒として利用が可能である。
【符号の説明】
【００５５】
２…固定枠
５…カム枠（第一の枠）
５ｄ…退避レンズ枠駆動用カム溝（カム溝部）
８…二群ズーム枠（第二の枠）
８ｄ…退避カム（カム部）
９…三群ズーム枠（第三の枠）
１２…退避レンズ枠
４１…ロングギヤ等が収納されるユニット収納部（ズーム駆動源）
Ｐ1…進入位置
Ｐ2…退避位置
【図１】
0005592732.tif 000002
【図２】
0005592732.tif 000003
【図３】
0005592732.tif 000004
【図４】
0005592732.tif 000005
【図５】
0005592732.tif 000006
【図６】
0005592732.tif 000007
【図７】
0005592732.tif 000008
【図８】
0005592732.tif 000009
【図９】
0005592732.tif 000010
【図１０】
0005592732.tif 000011
【図１１】
0005592732.tif 000012
【図１２】
0005592732.tif 000013
【図１３】
0005592732.tif 000014
【図１４】
0005592732.tif 000015
【図１５】
0005592732.tif 000016
【図１６】
0005592732.tif 000017
【図１７】
0005592732.tif 000018
【図１８】
0005592732.tif 000019